(57)【特許請求の範囲】
【請求項１】
キーボード装着部が設けられた上面壁とこの上面壁に対向した底壁とを有するほぼ矩形箱状の機器本体と、
上記キーボード装着部に設けられたキーボードと、
上記機器本体内に設けられ上記底壁と対向したプリント回路基板と、
上記機器本体内で上記プリント回路基板上に設けられ、上記プリント回路基板とキーボードとの間に位置した磁気ディスク装置と、
上記磁気ディスク装置に取り付けられ、磁気ディスク装置の少なくとも一部を覆っているとともに、磁気ディスク装置とキーボードとの間に位置したブラケットと、を備え、
上記機器本体の上面壁は、上記キーボード装着部に開口しているとともに上記ブラケットに対向した開口部と、上記ブラケットからずれて配置されているとともに上記ブラケットと同一平面内に位置し上記キーボード装着部の底面を形成した受け板と、を備え、
上記キーボード装着部に設けられたキーボードは、上記受け板およびブラケット上に支持されていることを特徴とする小型電子機器。
【請求項２】
上記ブラケットは金属板を折り曲げて形成され、
上記キーボードは、一方の表面上に多数のキーが配置された基板と、基板の他方の表面に設けられているとともに上記ブラケットに接触したシールド層と、を備えていることを特徴とする請求項１に記載の小型電子機器。
【請求項３】
上記受け板は、上記機器本体の上面壁と一体に成形されていることを特徴とする請求項１又は２に記載の小型電子機器。
【請求項４】
上記磁気ディスク装置は偏平な矩形箱状の筐体を備え、上記筐体の一方の表面が上記プリント回路基板とほぼ平行に対向した状態で配置され、
上記ブラケットは、上記筐体の他方の表面に所定の隙間をおいてほぼ平行に対向していることを特徴とする請求項１ないし３のいずれか１項に記載の小型電子機器。
【発明の詳細な説明】
【０００１】
【発明の属する技術分野】
この発明は携帯型パーソナルコンピュータ等の小型電子機器に関する。
【０００２】
【従来の技術】
近年、ブック型パーソナルコンピュータ、あるいは、いわゆるモバイルコンピュータと言われる携帯可能な小型のコンピュータが広く普及している。この種のコンピュータは、携帯性を高めるために機器本体の小型化が促められ、同時に、一層の性能の向上および多機能化が求められている。
【０００３】
このような携帯型コンピュータは、一般に、ほぼ矩形状の偏平な機器本体と、機器本体に回動自在に設けられたディスプレイユニットと、を備えている。機器本体内には、多数の電子部品が実装されたプリント回路基板、情報記憶装置としてのハードディスクドライブ等が収納されている。ハードディスクドライブにはその外面を覆うように金属製のブラケットが取り付けられている。また、機器本体の上面には、入力装置としてのキーボードが設けられている。
【０００４】
キーボードは、キー入力操作を行うことにより機器本体の内方へ向かう押圧力を受ける。そして、この押圧力が大きい場合には、キーボードが機器本体内側へ撓んで機器本体内の電子部品等に当接し、これら電子部品を損傷してしまう恐れがある。そこで、このような電子部品の損傷を防止するため、キーボードの下方には受け板が設けられ、キーボードに作用する上記押圧力を受けてキーボードの撓みを防止している。
【０００５】
この受け板は、例えば、合成樹脂により機器本体と一体に形成され、プリント回路基板、ハードディスクドライブのブラケット等に重ねて配置されている。そして、キーボードは受け板上に載置されている。
【０００６】
【発明が解決しようとする課題】
しかしながら、上記のように、プリント回路基板、ハードディスクドライブのブラケット等に重ねてキーボードの受け板を配置した場合、受け板の厚さ分だけ機器本体の厚さが増大し、携帯型コンピュータの小型化を図る上で障害となる。
【０００７】
この発明は以上の点に鑑みなされたもので、その目的は、キーボードの撓みを防止できるとともに一層の小型化が可能な小型電子機器を提供することにある。
【０００８】
【課題を解決するための手段】
上記目的を達成するため、この発明に係る小型電子機器は、キーボード装着部が設けられた上面壁とこの上面壁に対向した底壁とを有するほぼ矩形箱状の機器本体と、上記キーボード装着部に設けられたキーボードと、上記機器本体内に設けられ上記底壁と対向したプリント回路基板と、上記機器本体内で上記プリント回路基板上に設けられ、上記プリント回路基板とキーボードとの間に位置した磁気ディスク装置と、上記磁気ディスク装置に取り付けられ、磁気ディスク装置の少なくとも一部を覆っているとともに、磁気ディスク装置とキーボードとの間に位置したブラケットと、を備え、
上記機器本体の上面壁は、上記キーボード装着部に開口しているとともに上記ブラケットに対向した開口部と、上記ブラケットからずれて配置されているとともに上記ブラケットと同一平面内に位置し上記キーボード装着部の底面を形成した受け板と、を備え、
上記キーボード装着部に設けられたキーボードは、上記受け板およびブラケット上に支持されていることを特徴としている。
【０００９】
上記のように構成された小型電子機器によれば、機器本体の上面壁に設けられた受け板は、磁気ディスク装置のブラケットと重なることなくブラケットから外れて位置し、同時に、ブラケットと同一平面内に設けられている。そして、これら受け板およびブラケットによってキーボード装着部の底面を構成し、キーボードを支持していることから、キー入力操作に伴ってキーボードに押圧力が作用した場合でも、受け板およびブラケットによってこの押圧力を受け、キーボードの撓みを防止することができる。
【００１０】
また、受け板は、磁気ディスク装置のブラケットと重なることなくブラケットから外れて設けられていることから、従来のように受け板とブラケットとを重ねて配置する場合に比較して、機器本体を薄くすることができる。
【００１１】
また、この発明に係る小型電子機器によれば、ブラケットは金属板を折り曲げて形成され、キーボードは、一方の表面上に多数のキーが配置された基板と、基板の他方の表面に設けられているとともに上記ブラケットに接触したシールド層と、を備えている。そのため、ブラケットは、キーボードのシールド層と接触することにより、シールド板として機能することができる。
【００１２】
【発明の実施の形態】
以下、図面を参照しながら、この発明の実施の形態に係る携帯型のパーソナルコンピュータについて詳細に説明する。
【００１３】
図１および図２に示すように、パーソナルコンピュータは、偏平な矩形箱状の機器本体１０と、同じく偏平な矩形状のディスプレイユニット１２と、を備えている。機器本体１０は、上面の開口した矩形箱状の下ケース１４、下ケースの上面開口を覆うように下ケースに取り付けられ上面壁を構成したカバー１６と、で構成されている。
【００１４】
また、機器本体１０は、カバー１６の上面に露出して設けられたキーボード２０を有しているとともに、機器本体の一方の側面には、ＰＣカードを挿入可能なカードスロット２２、ＤＣ電源コネクタ２３が設けられている。機器本体１０の他方の側面には、電話線の接続ジャック２４、リモートコントローラの接続端子２５、スマートメディアの挿入口２６等が設けられている。
【００１５】
機器本体１０の前端部には、バッテリ２８が脱着自在い装着されている。更に、カバー１６の上面後端部には、後述するカメラのシャッタボタン３０が設けられている。機器本体１０の後壁外面には、赤外線ポート３１、ＵＳＢ端子３２、マイク入力端子３３、ヘッドホン接続端子３４、複数の排気孔３６、外部ディスプレイ出力端子３７等が設けられている。
【００１６】
ディスプレイユニット１２は、その下端部両端から突出した一対の脚部３８を有し、これらの脚部は、カバー１６の後端部に設けられた一対のヒンジ部４０によって回動自在に支持されている。ヒンジ部４０は、カバー１６の上面とほぼ平行に延びる図示しないヒンジ軸を有し、ディスプレイユニット１２の回動中心軸を規定している。それにより、ディスプレイユニット１２は、キーボード２０を露出する図１の回動位置と、キーボード２０を覆い、機器本体１０とともに１つの箱状をなす図２の閉塞位置との間を開閉自在に機器本体１０上に取り付けられている。なお、各ヒンジ部４０の外表面は、別体の化粧板によって覆われている。
【００１７】
ディスプレイユニット１２の内面には、液晶表示パネル４２が露出した開口４４、電源スイッチ４５、リブポイント４６、ＬＥＤからなる表示部４８等が設けられている。また、ディスプレイユニット１２の外面には、リブポイント４６に対向して一対のクリックスイッチ５０が設けられている。
【００１８】
一方、図１および図２に示すように、パーソナルコンピュータは、機器本体１０の後端部に脱着自在に設けられたカメラ５２を備えている。このカメラ５２は一対のヒンジ部４０間に、すなわち、機器本体１０の後端部の中央に設けられている。
【００１９】
カメラ５２は、カメラ本体５４およびカメラ本体を支持したベース部５６を備えている。カメラ本体５４は、内部に図示しない固体撮像素子（ＣＣＤ）を収納しているとともにピント調整可能なレンズ５７を有し、ほぼ円柱形状に形成されている。そして、レンズ５７は、その入射面がカメラ本体５４の外周面に露出して設けられている。
【００２０】
ベース部５６は、カメラ本体５４の軸方向両端側に位置した一対の支持部５８を有し、カメラ本体は、これらの支持部により、その中心軸の周りでほぼ３６０度回動自在に支持されている。一対の支持部５８は、カメラ本体５４と同径の円柱状に形成され、カメラ本体と連続して設けられている。また、一方の支持部５８の端面には、カメラ側のシャッタボタン６０が設けられている。
【００２１】
ベース部５６には、カメラ本体５４に電気的に接続された図示しないコネクタ、およびカメラ本体５４の中心軸と平行な方向に往復動自在な図示しないフックが設けられている。また、ベース部５６の外壁５６ｂには、フックを解除操作するための操作レバー６５が設けられ、更に、側壁には、カメラ５２の脱着をガイドするガイド溝６６が形成されている。
【００２２】
そして、上記構成のカメラ５２は、機器本体１０の後端部中央に形成された凹所からなるカメラ装着部６８に脱着自在に装着されている。カメラ装着部６８へ装着すると、カメラ５２はフックが機器本体１０と係合することによりカメラ装着部内に機械的に保持され、また、コネクタが機器本体側の図示しないコネクタに接続され、機器本体１０と電気的に接続される。
【００２３】
図１および図２に示すように、カメラ５２をカメラ装着部６８に装着した状態において、円柱形状に形成されたカメラ本体５４および一対の支持部５８は、機器本体１０の一対のヒンジ部４０に連続的に並んで位置している。また、ベース部５６の後壁５６ｂは、機器本体１０の後面と連続して位置し、機器本体の後面の一部を構成している。更に、カメラ本体５４は、その中心軸がヒンジ部４０のヒンジ軸、すなわち、ディスプレイユニット１２の回動中心軸線とほぼ同軸的に位置し、この中心軸の周りで回動可能となっている。
【００２４】
そして、カメラ本体５４を回動させてレンズ５７の向きを調整することにより、ディスプレイユニット１２を開いた状態、あるいは、閉じた状態のいずれにおいても、カメラ５２を用いて任意の画像を撮影することができる。カメラ５２により撮影した画像は、ディスプレイユニット１２に動画あるいは静止画として表示できるとともに、本体側のシャッタボタン３０を押すことにより、スナップ画像として機器本体１０内のメモリに取り込むことができる。
【００２５】
なお、カメラ５２を機器本体１０から取外す場合には、操作レバー６５を操作してフックを解除した状態で、カメラ５２全体をカメラ装着部６８から後方へ引き抜くことにより取外すことができる。
【００２６】
図３ないし図５に示すように、機器本体１０の下ケース１４内にはほぼ矩形状のメインプリント回路基板７０が設けられ、矩形状のケース底壁１４ａのほぼ全面と対向している。メインプリント回路基板７０の上面には、磁気ディスク装置としてのハードディスクドライブ７２、カードスロット２２から挿入されたＰＣカードを保持するカードホルダ７４、挿入されたＰＣカードに接続されるコネクタ７５、サブプリント回路基板７６、カメラ５２のコネクタが接続されたコネクタ７７、前述したＤＣ電源コネクタ２３、接続ジャック２４、リモートコントローラの接続端子２５、赤外線ポート３１、ＵＳＢ端子３２、マイク入力端子３３、ヘッドホン接続端子３４、外部ディスプレイ出力端子３７、その他の電子部品が設けられている。メインプリント回路基板７０の下面側には、メインプロセッサを構成する半導体パッケージ７８、その他、多数の電子部品が実装されている。
【００２７】
図４ないし図６に示すように、ハードディスクドライブ７２は、偏平な矩形箱状の筐体８０を備え、この筐体の下面がメインプリント回路基板７０の上面とほぼ平行に対向した状態で、メインプリント回路基板上に設けられている。そして、ハードディスクドライブ７２は、筐体８０の前端側に位置したコネクタ８１をメインプリント基板回路基板７０上に設けられたコネクタ８２に嵌合することにより、メインプリント回路基板と電気的に接続されている。
【００２８】
また、ハードディスクドライブ７２には、金属板を折曲げて形成されたブラケット８４が複数のねじによりねじ止めされている。そして、ブラケット８４は、筐体８０上面に所定の隙間をおいて平行に対向しているとともに、コネクタ８１側の一部を除いて、筐体上面のほぼ全体を覆っている。
【００２９】
図３および図５に示すように、キーボード２０は、矩形状の基板８６と、基板上に整列して設けられた多数のキーと、を備えている。基板８６の長辺側の両側縁には、複数の係合突起８７がそれぞれ設けられている。また、基板８６の裏面にはシールド層８８が形成されている。
【００３０】
一方、図１、図３ないし図５に示すように、機器本体１０のカバー１６の上面には、キーボード２０に対応した矩形状の凹所からなるキーボード装着部９０が形成されている。そして、このキーボード装着部９０の底面の約半分は、カバー１６と一体的に成形された平坦な受け板９２によって構成され、残りの半分は開口している。すなわち、受け板９２は、キーボード装着部９０の内、カードスロット２２と対向する領域に設けられ、ハードディスクドライブ７２と対向する領域は除かれて開口部９３を形成している。
【００３１】
そして、キーボード２０は、カバー１６に形成された複数の係合部９４に係合突起８７を係合させた状態でキーボード装着部９０に装着され、かつ、カバー１６の所定位置に細長い化粧板９６を嵌合することにより保持されている。
【００３２】
また、図３および図５からよく分かるように、カバー１６を下ケース１４に嵌合した状態において、ハードディスクドライブ７２のブラケット８４は、キーボード装着部９０の底面開口部９３内に位置し、ブラケット８４の上面と受け板９２の上面とは同一平面内に位置している。従って、ブラケット８４は、キーボード装着部９０の底面の一部を構成し、キーボード２０は、受け板９２およびブラケット８４上に支持された状態でキーボード装着部９０に装着されている。
【００３３】
上記のように構成されたパーソナルコンピュータによれば、機器本体１０のカバー１６と一体的に成形された受け板９２は、ハードディスクドライブ７２のブラケット８４と重なることなくブラケットから外れて設けられ、同時に、受け板９２の上面はブラケット８４の上面と同一平面内に設けられている。そして、これら受け板９２およびブラケット８４によってキーボード装着部９０の底面を構成し、キーボード２０を支持していることから、キー入力操作に伴ってキーボード２０に押圧力が作用した場合でも、受け板９２およびブラケット８４によってこの押圧力を受け、キーボードの撓みを防止することができる。その結果、機器本体１０内に設けられた電子部品とキーボード２０との不所望な接触を規制し、電子部品の損傷を防止することができる。
【００３４】
また、受け板９２は、ハードディスクドライブ７２のブラケット８４と重なることなくブラケットから外れて設けられていることから、従来のように受け板とブラケットとを重ねて配置する場合に比較して、機器本体１０を薄くすることができ、その結果、パーソナルコンピュータ全体の小型化を図ることができる。
【００３５】
更に、金属板からなるブラケット８４は、キーボード２０の下面に設けられたシールド層８８と接触し導通していることから、シールド板として機能することができる。
【００３６】
なお、この発明は上述した実施の形態に限定されることなく、この発明の範囲内で種々変形可能である。例えば、上記実施の形態において、受け板は機器本体のカバーと一体成形された構成としたが、別体の板をカバーに固定する構成としてもよい。また、磁気ディスク装置のブラケットと受け板とは、互いにずれて同一平面内に設けられていればよく、機器本体内におけるブラケットおよび受け板の配置は必要に応じて種々変更可能である。
【００３７】
【発明の効果】
以上詳述したように、この発明によれば、キーボードを受け板およびハードディスクのブラケットで支持することによりキーボードの撓みを防止できるとともに、受け板とブラケットとを同一平面内に設けることにより機器本体を薄くし一層の小型化が可能な小型電子機器を提供することができる。
【００３８】
【図面の簡単な説明】
【図１】この発明の実施の形態に係るパーソナルコンピュータの斜視図。
【図２】ディスプレイユニットを閉じた状態における上記パーソナルコンピュータを背面側から示す斜視図。
【図３】上記パーソナルコンピュータのキーボードを取外した状態を示す分解斜視図。
【図４】上記パーソナルコンピュータのカバーを取外した状態を示す分解斜視図。
【図５】図１の線Ａ−Ａに沿った断面図。
【図６】上記パーソナルコンピュータの機器本体内に設けられたハードディスクドライブおよびブラケットを示す分解斜視図。
【符号の説明】
１０…機器本体
１２…ディスクプレイユニット
１４…下ケース
１６…カバー
２０…キーボード
５２…カメラ
７０…メインプリント回路基板
７２…ハードディスクドライブ
８０…筐体
８４…ブラケット
９０…キーボード装着部
９２…受け板
９３…開口部
【図１】
0004270654.tif 000002
【図２】
0004270654.tif 000003
【図３】
0004270654.tif 000004
【図４】
0004270654.tif 000005
【図５】
0004270654.tif 000006
【図６】
0004270654.tif 000007